(57)【特許請求の範囲】
【請求項１】
壁掛け型の室内機の吹出口に送風ファンからの送風の角度を上下方向に調整する水平フラップを備えた空気調和装置において、
前記水平フラップの傾き角が送風の流れ抵抗が大きくなる角度に設定され、前記送風ファンの回転数が低回転数に設定され、かつ、冷房運転の継続時間が所定の時間に達したときに、前記水平フラップの傾き角を送風の流れ抵抗が小さくなるように下向きの角度に変更する制御部を備え、
前記制御部は、前記水平フラップの傾き角が複数段階のうち、最も水平に近い傾き角に設定され、前記送風ファンの回転数が複数段階のうち、最も低の回転数に設定され、かつ、冷房運転の継続時間が所定の時間に達したときに、露付き防止フラグをオンにして前記水平フラップの傾き角を少なくとも一段下向きの傾き角に強制的に変更し、前記室内機のリモートコントローラの指示によって前記送風ファンの回転数が高い回転数に変更された場合、前記露付き防止フラグをオフにして前記水平フラップの傾き角を変更可能にすることを特徴とする空気調和装置。
【請求項２】
前記室内機は、室外機に複数の前記室内機が接続されるマルチ型の空気調和装置に接続されていることを特徴とする請求項１記載の空気調和装置。
【請求項３】
前記水平フラップの傾き角の設定における送風の流れ抵抗が大きくなる角度は、前記水平フラップの傾き角の設定における開状態の最上段であることを特徴とする請求項１または２に記載の空気調和装置。
【請求項４】
前記制御部は、前記水平フラップを前記角度に変更したことを前記室内機のリモートコントローラに表示することを特徴とする請求項１から３のいずれかに記載の空気調和装置。
【請求項５】
前記制御部は、前記水平フラップを前記角度に変更した後に、前記水平フラップの傾き角の変更の指示、暖房運転或いは送風運転への変更の指示、及び、前記送風ファンの回転数の変更の指示のいずれかの指示がなされるまでは、前記角度を維持することを特徴とする請求項１から４のいずれかに記載の空気調和装置。
【請求項６】
前記水平フラップに乱流の発生を抑制する凹凸を設けたことを特徴とする請求項１から５のいずれかに記載の空気調和装置。
【発明の詳細な説明】
【技術分野】
【０００１】
本発明は、室内機の吹出口に、送風の角度を上下方向に調整する水平フラップを備えた空気調和装置に関する。
【背景技術】
【０００２】
従来、室外機に接続された室内機の吹出口に、送風の角度を上下方向に調整する水平フラップを備えた空気調和装置において、冷房運転中に、温度検出手段によって検出された室内熱交換器の温度が所定の基準温度以下に一定時間の間あった場合、水平フラップに結露が生じる可能性が高いと判断し、室内機の送風ファンの回転数を所定量だけ高くする露付防止制御を行うものが知られている（例えば、特許文献１参照）。
【先行技術文献】
【特許文献】
【０００３】
【特許文献１】特開平１０−２５３１３６号公報
【発明の概要】
【発明が解決しようとする課題】
【０００４】
しかし、上記従来の構成では、露付きを防止するために、室内機の上記送風ファンの回転数を高くするため、上記露付防止制御によって、冷房運転時における室内熱交換器の冷媒の蒸発量が変化し、室外機の圧縮機の運転に影響する可能性がある。特に、室外機に複数の室内機が接続される場合、上記露付防止制御によって室外機の圧縮機の運転状態が変化し、他の室内機の運転に影響する虞がある。
本発明は、上述した事情に鑑みてなされたものであり、水平フラップを備えた空気調和装置において、室外機の圧縮機の運転に影響することなく、水平フラップへの露付を防止できるようにすることを目的とする。
【課題を解決するための手段】
【０００５】
壁掛け型の室内機の吹出口に送風ファンからの送風の角度を上下方向に調整する水平フラップを備えた空気調和装置において、前記水平フラップの傾き角が送風の流れ抵抗が大きくなる角度に設定され、前記送風ファンの回転数が低回転数に設定され、かつ、冷房運転の継続時間が所定の時間に達したときに、前記水平フラップの傾き角を送風の流れ抵抗が小さくなるように下向きの角度に変更する制御部を備え、前記制御部は、前記水平フラップの傾き角が複数段階のうち、最も水平に近い傾き角に設定され、前記送風ファンの回転数が複数段階のうち、最も低の回転数に設定され、かつ、冷房運転の継続時間が所定の時間に達したときに、露付き防止フラグをオンにして前記水平フラップの傾き角を少なくとも一段下向きの傾き角に強制的に変更し、前記室内機のリモートコントローラの指示によって前記送風ファンの回転数が高い回転数に変更された場合、前記露付き防止フラグをオフにして前記水平フラップの傾き角を変更可能にすることを特徴とする。
【０００６】
また、前記室内機は、室外機に複数の前記室内機が接続されるマルチ型の空気調和装置に接続されていても良い。
また、前記水平フラップの傾き角の設定における送風の流れ抵抗が大きくなる角度は、前記水平フラップの傾き角の設定における開状態の最上段であっても良い。
さらに、前記制御部は、前記水平フラップを前記角度に変更したことを前記室内機のリモートコントローラに表示しても良い。
【０００７】
また、前記制御部は、前記水平フラップを前記角度に変更した後に、前記水平フラップの傾き角の変更の指示、暖房運転或いは送風運転への変更の指示、及び、前記送風ファンの回転数の変更の指示のいずれかの指示がなされるまでは、前記角度を維持しても良い。
また、前記水平フラップに乱流の発生を抑制する凹凸を設けても良い。
【発明の効果】
【０００８】
本発明によれば、水平フラップを備えた空気調和装置において、室外機の圧縮機の運転に影響することなく、水平フラップへの露付を防止できる。
【図面の簡単な説明】
【０００９】
【図１】本発明の空気調和装置の冷媒回路図である。
【図２】室内機の断面図である。
【図３】室内機の分解斜視図である。
【図４】室内機を下方から見た斜視図である。
【図５】室内機の断面図である。
【図６】室内機の断面図である。
【図７】露付き防止運転の処理を示すフローチャートである。
【発明を実施するための形態】
【００１０】
以下、図面を参照して本発明の好適な実施の形態について説明する。
図１は、本発明の空気調和装置の冷媒回路図である。まず、空気調和装置１００の冷媒回路５の構成を説明する。
空気調和装置１００は、室外に設置される室外機６と、それぞれ異なる部屋の室内に設置される複数台（例えば３台）の室内機１２Ａ〜１２Ｃとを有し、室外機６の室外冷媒配管７と室内機１２Ａ〜１２Ｃの各室内冷媒配管１４Ａ〜１４Ｃとが、接続配管５８によって接続されている。すなわち、空気調和装置１００は、一台の室外機６に対して複数台の室内機１２Ａ〜１２Ｃが接続されるいわゆるマルチ型の空気調和装置である。
【００１１】
図１に示す様に、室外冷媒配管７には圧縮機８が配設されている。室外冷媒配管７における圧縮機８の吸入側には、アキュムレーター９が配設されており、吐出側にはオイルセパレーター１７を介して四方弁１８、室外熱交換器１９、室外膨張弁２０、受液器２１が順次配設されている。また、室外熱交換器１９には、この室外熱交換器１９へ向かって送風する室外ファン２５が隣接して配置されている。また、室外機６は、室外膨張弁２０、圧縮機８、室外ファン２５、及び、四方弁１８等を制御する室外機側制御部７５を有している。
【００１２】
一方、各室内機１２Ａ〜１２Ｃには、各室内冷媒配管１４Ａ〜１４Ｃにそれぞれ室内熱交換器２９Ａ〜２９Ｃが配設される。また、各室内冷媒配管１４Ａ〜１４Ｃには、各室内熱交換器２９Ａ〜２９Ｃの近傍にそれぞれ室内膨張弁３０Ａ〜３０Ｃが配設される。各室内熱交換器２９Ａ〜２９Ｃには、それぞれ送風ファン３１Ａ〜３１Ｃが隣接して配置されており、各送風ファン３１Ａ〜３１Ｃはそれぞれ各室内熱交換器２９Ａ〜２９Ｃに送風する。
また、各室内機１２Ａ〜１２Ｃは、送風ファン３１Ａ〜３１Ｃ及び室内膨張弁３０Ａ〜３０Ｃ等を制御する室内機側制御部７６Ａ〜７６Ｃ（制御部）を有している。各室内機側制御部７６Ａ〜７６Ｃには、ユーザーが各室内機１２Ａ〜１２Ｃを操作するためのリモートコントローラ７７Ａ〜７７Ｃがそれぞれ接続されている。
【００１３】
空気調和装置１００では、四方弁１８を切り替えることにより、冷房運転または暖房運転が切り替えられる。四方弁１８が冷房側に切り替えられたときには、図１に示す実線矢印に沿って冷媒が流れ、室外熱交換器１９が凝縮器に、室内熱交換器２９Ａ〜２９Ｃが蒸発器になり、圧縮機８から吐出された冷媒は、四方弁１８、室外熱交換器１９、室外膨張弁２０、接続配管５８、各室内熱交換器２９Ａ〜２９Ｃ、接続配管５８、及び四方弁１８の順に通り、圧縮機８の吸い込み側に戻り、各室内熱交換器２９Ａ〜２９Ｃが室内を冷房する冷房運転状態となる。冷房運転時には、空調負荷に応じて、室内膨張弁３０Ａ〜３０Ｃのそれぞれの弁開度が調整される。
【００１４】
また、四方弁１８が暖房側に切り替えられたときには、図１に示す破線矢印に沿って冷媒が流れ、室内熱交換器２９Ａ〜２９Ｃが凝縮器に、室外熱交換器１９が蒸発器になって、圧縮機８から吐出された冷媒は、四方弁１８、接続配管５８、各室内熱交換器２９Ａ〜２９Ｃ、接続配管５８、室外膨張弁２０、室外熱交換器１９及び四方弁１８の順に通り、圧縮機８の吸い込み側に戻り、各室内熱交換器２９Ａ〜２９Ｃが室内を暖房する暖房運転状態となる。暖房運転時には、空調負荷に応じて、室外膨張弁２０及び室内膨張弁３０Ａ〜３０Ｃのそれぞれの弁開度が調整される。
また、空気調和装置１００は、圧縮機８が停止されたサーモＯＦＦの状態で各送風ファン３１Ａ〜３１Ｃを運転して送風する送風運転を行うことができる。
【００１５】
図２は室内機１２Ａの断面図である。図３は室内機１２Ａの分解斜視図である。
室内機１２Ａ〜１２Ｃは、空調される室内の壁Ｗに取り付けられる壁掛け型の室内機である。各室内機１２Ａ〜１２Ｃは同一に構成されているため、以下では室内機１２Ａについて説明する。
図２及び図３に示すように、室内機１２Ａは、断面略Ｃ字状に形成されたフィンアンドチューブ型の室内熱交換器２９Ａをフレーム３に配設し、この室内熱交換器２９Ａの内側に送風ファン３１Ａを配置して構成され、室内熱交換器２９Ａにはグリル１０が被せられる。フレーム３は樹脂成形により断面略Ｌ字状に形成された部材であり、室内熱交換器２９Ａから流下するドレン水を受けるドレンパン３４、及び、送風ファン３１Ａを収容するスクロール部３２を備え、フレーム３の背面には、据付板５０の係止爪５１を受ける凹部が形成されている。このフレーム３及びグリル１０によって室内機１２Ａの筐体が構成される。
フレーム３と据付板５０、及び、フレーム３とグリル１０とは互いにビスにより連結され、ビス止め作業を行うためのサービスホール１５がグリル１０の下面に開口している。サービスホール１５は、通常使用時においてはキャップ１４により塞がれている。
【００１６】
送風ファン３１Ａはいわゆるクロスフローファンで構成され、フレーム３に設けられた舌部４８とスクロール部３２との間に収められ、円筒状に延びる送風ファン３１Ａの両端が、ベアリング４３を有する軸受け部４４と、軸受け部４５とを介してフレーム３により支持される。
送風ファン３１Ａの一端にはファンモーター４６が連結され、ファンモーター４６が、軸受け４７を介してフレーム３に取り付けられている。より詳細に説明すると、送風ファン３１Ａの一端には、ファンモーター４６の出力軸が挿入される穴４１が設けられ、この穴４１に挿入されたファンモーター４６の出力軸は、送風ファン３１Ａの側面から螺入されるセットスクリュー４２によって、送風ファン３１Ａに固定される。また、ファンモーター４６の側方には、室内機側制御部７６Ａを収容する電装ボックス５５が配置される。
フレーム３の背面側の下部には、冷媒配管やドレン管を収容するための長手形状の空間である配管収容部３３が形成され、配管収容部３３内の上記配管を押さえ込む配管押え５２、５３が取り付けられる。
【００１７】
グリル１０には、上面吸込口１１Ａ及び前面吸込口１１Ｂが室内機１２Ａの長手方向に延びて開口し、前面吸込口１１Ｂを覆うように前面パネル１６が取り付けられる。
室内機１２Ａの下面には、前面パネル１６の下縁に連続し壁Ｗ側に向けて下方に傾斜する吹き出し面３５と、吹き出し面３５から壁Ｗ側に略水平に延びる下端面３７とが形成されている。吹き出し面３５には、送風ファン３１Ａからの送風を吹き出す吹出口１３が設けられており、吹出口１３は、板状のフラップ６０、６０（水平フラップ）によって開閉自在に塞がれている。
【００１８】
送風ファン３１Ａは、上面吸込口１１Ａ及び前面吸込口１１Ｂから室内熱交換器２９Ａを介して室内空気を吸い込み、室内熱交換器２９Ａにおいて熱交換された空気を、吹出口１３から被調和室内に吹き出す。送風ファン３１Ａと吹出口１３との間には送風ファン３１Ａからの送風を吹出口１３に導くガイド室３６が設けられている。ガイド室３６の上面は、室内機１２Ａの前面側の下方に向かって傾斜したドレンパン３４の下部によって形成され、ガイド室３６の下部は、室内機１２Ａの前面側の下方に向かって傾斜したスクロール部３２の下部によって形成されている。吹出口１３から吹き出される空気は、ガイド室３６によってガイドされて、室内機１２Ａの前面側の斜め前下方に向かって流れる。
また、送風ファン３１Ａは、回転数を高、中、低の３段階に切り替え可能に構成されており、回転数が高くなるほど送風ファン３１Ａの吐出風量が大きくなる。すなわち、送風ファン３１Ａの回転数に応じて、風量の設定が強、中、弱に変更される。
【００１９】
フラップ６０、６０は、吹出口１３から吹き出される送風の風向きを上下に調整する２枚の横羽根である。各フラップ６０は、室内機１２Ａの長手方向に延びる板状に形成されるとともに、フラップ６０の長手方向に延びるフラップ軸６１を有している。各フラップ６０は、フラップ軸６１を中心として上下に回動する。２枚のフラップ６０、６０は、室内機１２Ａのフラップ駆動モーター６３によって連動して駆動され、互いに略平行な位置関係を保つようにして吹出口１３を開閉するとともに、吹出口１３から吹き出される風向きを上下方向において変更する。フラップ６０、６０には、フラップ６０、６０の上下面の周辺での乱流の発生を抑制するディンプル６０Ａ（凹凸）が形成されている。
【００２０】
また、スクロール部３２の出口側には、風向きを左右に調節する複数の縦羽根８５が並べて配置されている。縦羽根８５は、複数枚（本実施形態では５枚）が一組となって、スクロール部３２の裏側でリンク部材８７により連結される。縦羽根８５は、縦羽根駆動モーター（不図示）に連結され、この縦羽根駆動モーターの動作または前端の操作レバー８６の操作に応じて、左右に向きを変える。
縦羽根８５とフラップ６０との間には、吹出口１３の奥へ手を差し入れることができないようにするファンガード７０が設けられている。ファンガード７０は、吹出口１３の長手方向に沿って、互いに平行に掛け渡された２本のワイヤー７１、７１と、これらワイヤー７１、７１の端を束ねる支持体７２、７３とを備えて構成される。
【００２１】
図４は室内機１２Ａを下方から見た斜視図である。なお、この図４においては理解の便宜のためにフラップ６０の図示を省略する。
ファンガード７０の支持体７２は、長手形状の吹出口１３の一端側に取り付けられ、吹出口１３の他端側には支持体７３が取り付けられる。
また、吹出口１３には、室内機１２Ａの長手方向に三等分するように、フラップ６０を支持する２つの支柱６５が設けられる。各支柱６５は、吹出口１３の上縁部１３ａと下縁部１３ｂとの間に掛け渡され、２枚のフラップ６０、６０のフラップ軸６１、６１が差し込まれる２つの支持穴６６、６６を有する。吹出口１３の両端には、それぞれ、フラップ６０を取り付けるためのフラップ支持部６８が設けられ、これら左右のフラップ支持部６８の各々は、２枚のフラップ６０、６０のフラップ軸６１、６１が差し込まれる支持穴６９、６９を有している。つまり、各フラップ６０は、２つの支柱６５及び２つのフラップ支持部６８により、回動可能に支持される。ファンガード７０は、ワイヤー７１が、フラップ６０が取り付けられる支持穴６６、６９よりも奥で、かつ、縦羽根８５よりも前に位置するように取り付けられる。
【００２２】
ところで、室内機１２Ａでは、冷房運転を継続して行うと、フラップ６０、６０の温度が低下し、温度が低下したフラップ６０、６０に比較的温度が高い室内の空気が接触することによって、フラップ６０、６０に結露が生じることが考えられる。そこで、本実施の形態では、結露が生じやすい運転状態の場合に、フラップ６０、６０の向きを変更することで結露の発生を防止する露付き防止運転が行われる。以下、露付き防止運転について説明する。
【００２３】
図５及び図６は、室内機１２Ａの断面図である。
室内機１２Ａでは、フラップ６０、６０は、その開度を５段階に調整可能に構成されている。詳細には、フラップ６０、６０は、図２に示す吹出口１３の全閉状態を最上段とし、図５及び図６に示すように、フラップ６０、６０が段階毎に鉛直方向に徐々に傾く方向に傾き角が変更される。フラップ６０、６０の調整範囲の最下段では、フラップ６０、６０の傾き角は、調整可能な範囲において最も鉛直方向に近くなる。
【００２４】
フラップ６０、６０の開状態における最上段は、図５に示す状態であり、この状態は、フラップ６０、６０が全閉状態から一段だけ下方に傾斜した状態である。図６の状態は、フラップ６０、６０が図５に示した開状態における最上段から一段だけ下方に傾斜した状態である。以下、フラップ６０、６０の開状態の最上段のポジションを傾き角Ｐ１（流れ抵抗が大きくなる角度）とし、傾き角Ｐ１から一段だけ下方に傾斜した状態を傾き角Ｐ２（下向きの角度）とする。傾き角Ｐ１、Ｐ２は水平の状態を基準にした角度である。ここでは、一例として、傾き角Ｐ１と傾き角Ｐ２との差は１５°である。
フラップ６０、６０が傾き角Ｐ１にある場合には、フラップ６０、６０の傾き角は開状態において最も水平に近い角度となり、この角度は冷房運転に適した角度であるとともに、フラップ６０、６０によってガイドされる空気は、最も遠くまで到達する。フラップ６０、６０の傾き角が下方に傾斜するに従って、フラップ６０、６０によってガイドされる空気は下向きになって到達距離が短くなる。
【００２５】
図５に示すように、傾き角Ｐ１にある状態では、フラップ６０、６０を通って吹き出される気流Ｙに対する通風抵抗（流れ抵抗）が大きい状態にあり、フラップ６０、６０の下面には、フラップ６０、６０の周囲の空気を巻き込む乱流Ｄが発生する。このため、傾き角Ｐ１の状態でフラップ６０、６０が過度に冷却されると、巻き込まれた空気が結露してフラップ６０、６０の下面に露付きが発生する。フラップ６０、６０の周囲の空気を巻き込む乱流Ｄは、特に、送風ファン３１Ａの回転数が低で風量が弱い場合に発生し易く、送風ファン３１Ａの回転数が高及び中の場合には、ほとんど発生しない。
図６に示すように、傾き角Ｐ２にある状態では、フラップ６０、６０を通って吹き出される気流Ｚに対する通風抵抗が小さい状態にあり、フラップ６０、６０の下面には、乱流Ｄはほとんど発生しない。このため、傾き角Ｐ２にある状態では、フラップ６０、６０の下面に露付きが発生しない。すなわち、冷房運転時において、フラップ６０、６０を傾き角Ｐ２にして運転することで、フラップ６０、６０への露付きが防止される。
風量が弱の冷房運転時において、フラップ６０、６０を傾き角Ｐ１から傾き角Ｐ２に変更することで露付きが防止されることは、実機での実験によって確認されている。
【００２６】
ここで、上記のように傾き角Ｐ１にある状態でフラップ６０、６０の周囲に乱流Ｄが発生する一因としては、傾き角Ｐ１の状態では、送風ファン３１Ａからガイド室３６によって室内機１２Ａの前下方側にガイドされる気流Ｘの方向に対してフラップ６０、６０が傾いており、通風抵抗が大きくなっていることが挙げられる。一方、傾き角Ｐ２にある状態では、気流Ｘに対してフラップ６０、６０が略平行に配置されており、通風抵抗が小さくなっている。
【００２７】
次に、露付き防止運転の処理について詳細に説明する。
図７は、露付き防止運転の処理を示すフローチャートである。
まず、室内機１２Ａの運転中において、室内機側制御部７６Ａは、露付き防止フラグがＯＮ状態にあるか否かを判別する（ステップＳ１１）。ここで、上記露付き防止フラグは、後述する条件に基づいて、フラップ６０、６０に露付きが生じる可能性が高いと考えられる場合にＯＮ状態になるフラグであり、室内機側制御部７６Ａのメモリに書き込まれる。
ステップＳ１１の判別において、露付き防止フラグがＯＮ状態にない場合（ステップＳ１１：Ｎｏ）、室内機側制御部７６Ａは、室内機１２Ａが暖房運転中、または、送風運転中以外の運転であるか否かを判別する（ステップＳ１２）。
【００２８】
ステップＳ１２の判別において、室内機１２Ａが暖房運転中、または、送風運転中以外の運転を実行している場合、すなわち、冷房運転が実行されている場合（ステップＳ１２：Ｙｅｓ）、室内機側制御部７６Ａは、サーモＯＮ中であるか否かを判別する（ステップＳ１３）。
ステップＳ１３の判別において、サーモＯＮ中である場合（ステップＳ１３：Ｙｅｓ）、室内機側制御部７６Ａは、送風ファン３１Ａの風量の設定が弱であるか否かを判別する（ステップＳ１４）。
ステップＳ１４の判別において送風ファン３１Ａの風量の設定が弱である場合（ステップＳ１４：Ｙｅｓ）、室内機側制御部７６Ａは、フラップ６０、６０のポジションが傾き角Ｐ１であるか否かを判別する（ステップＳ１５）。
【００２９】
ステップＳ１５の判別において、フラップ６０、６０のポジションが傾き角Ｐ１である場合（ステップＳ１５：Ｙｅｓ）、室内機側制御部７６Ａは、タイマーのカウント値を一定量だけ加算し（ステップＳ１６）、次いで、タイマーのカウント値が所定時間Ｔに達したか否かを判別する（ステップＳ１７）。
ステップＳ１７の判別において、タイマーのカウント値が所定時間Ｔに達した場合（ステップＳ１７：Ｙｅｓ）、室内機側制御部７６Ａは、露付き防止フラグをＯＮ状態にする（ステップＳ１８）。
【００３０】
すなわち、ステップＳ１２〜Ｓ１７の処理によって露付き防止フラグがＯＮ状態にセットされる条件は、送風ファン３１Ａの風量の設定が弱で、かつ、フラップ６０、６０が傾き角Ｐ１で、サーモＯＮの状態の冷房運転が所定時間Ｔに亘って継続して運転された場合である。露付き防止フラグのＯＮ状態では、風量が弱でフラップ６０、６０が水平に近いポジションであるため、フラップ６０、６０の周囲に乱流Ｄが発生し、露付きが生じ易い。ここで、上記所定時間Ｔは、一例として、１時間に設定される。
【００３１】
ステップＳ１７の判別において、タイマーのカウント値が所定時間Ｔに達していない場合（ステップＳ１７：Ｎｏ）、室内機側制御部７６Ａは、露付き防止運転の処理を終了する。露付き防止運転の処理は所定の時間間隔で繰り返して実行され、ここでは、一例として、１ｓｅｃ毎に実行される。タイマーのカウント値は、ステップＳ１６が繰り返される度に加算される。
また、ステップＳ１２の判別で室内機１２Ａが暖房運転中、または、送風運転中である場合（ステップＳ１２：Ｎｏ）、ステップＳ１３の判別でサーモＯＦＦである場合（ステップＳ１３：Ｎｏ）、ステップＳ１４の判別で送風ファン３１Ａの風量の設定が中または強である場合（ステップＳ１４：Ｎｏ）、及び、ステップＳ１５の判別でフラップ６０、６０が傾き角Ｐ１以外の傾き角にあった場合（ステップＳ１５：Ｎｏ）、室内機側制御部７６Ａは、ステップＳ１６のタイマーのカウント値をクリアし（ステップＳ１９）、露付き防止運転の処理を終了する。
【００３２】
そして、ステップＳ１１の判別において、露付き防止フラグがＯＮ状態にある場合（ステップＳ１１：Ｙｅｓ）、室内機側制御部７６Ａは、フラップ６０、６０の傾き角が変更されているか否かを判別する（ステップＳ２０）。ステップＳ２０の判別において、フラップ６０、６０の傾き角が傾き角Ｐ１から変更されていない場合（ステップＳ２０：Ｎｏ）、室内機側制御部７６Ａは、室内機１２Ａの運転モードが、暖房運転または送風運転に変更されているか否かを判別する（ステップＳ２１）。
【００３３】
ステップＳ２１の判別において、室内機１２Ａの運転モードが、暖房運転または送風運転に変更されていない場合（ステップＳ２１：Ｎｏ）、すなわち、冷房運転が継続されている場合、室内機側制御部７６Ａは、送風ファン３１Ａの風量の設定が弱から変更されているか否かを判別する（ステップＳ２２）。
ステップＳ２２の判別において、送風ファン３１Ａの風量の設定が弱から変更されていない場合（ステップＳ２２：Ｎｏ）、室内機側制御部７６Ａは、フラップ駆動モーター６３を制御して、フラップ６０、６０の傾き角を傾き角Ｐ１から傾き角Ｐ２に変更し（ステップＳ２３）、次いで、リモートコントローラ７７Ａに、露付き防止制御によってフラップ６０、６０を傾き角Ｐ２に変更したことを表示する。その後、室内機側制御部７６Ａは、は、露付き防止運転の処理を終了する。
【００３４】
また、ステップＳ２０の判別においてフラップ６０、６０の傾き角Ｐ１が変更されている場合（ステップＳ２０：Ｙｅｓ）、ステップＳ２１の判別において室内機１２Ａの運転モードが、暖房運転または送風運転に変更されている場合（ステップＳ２１：Ｙｅｓ）、及び、ステップＳ２２の判別において送風ファン３１Ａの風量の設定が弱から変更されている場合（ステップＳ２２：Ｙｅｓ）、室内機側制御部７６Ａは、露付き防止フラグをＯＦＦ状態にし（ステップＳ２４）、露付き防止運転の処理を終了する。従って、露付き防止制御によってフラップ６０、６０が傾き角Ｐ２に変更されている状態では、室内機側制御部７６Ａは、フラップ６０、６０の傾き角の変更の指示、暖房運転或いは送風運転への変更の指示、及び、送風ファン３１Ａの回転数の変更の指示のいずれかの指示がなされるまではフラップ６０、６０を傾き角Ｐ２に維持する。
ここで、傾き角の変更の指示、暖房運転への変更等の運転モードの変更の指示、及び、送風ファン３１Ａの風量の設定の変更の指示は、ユーザーにより操作されるリモートコントローラ７７Ａによって行われる。
【００３５】
すなわち、室内機側制御部７６Ａがフラップ６０、６０の傾き角を傾き角Ｐ１から傾き角Ｐ２に強制的に変更する条件は、露付き防止フラグがＯＮ状態において、フラップ６０、６０の傾き角が傾き角Ｐ１で冷房運転が継続されており、かつ、送風ファン３１Ａの風量が弱から変更されていない場合である。このように、フラップ６０、６０への露付きが生じ易い運転状態の場合に、露付きが発生しない傾き角Ｐ２に変更するため、フラップ６０、６０への露付きを効果的に防止できる。
【００３６】
また、送風ファン３１Ａの風量が弱でなければフラップ６０、６０の傾き角は傾き角Ｐ２に変更されないため、露付きの発生の可能性がほとんどない運転状態である場合に、傾き角が室内機側制御部７６Ａによって傾き角Ｐ２に勝手に変更されることがなく、ユーザーの意図に沿った風向きで運転を行うことができる。
さらに、フラップ６０、６０の傾き角が傾き角Ｐ１でなければ傾き角は傾き角Ｐ２に変更されないため、露付きの発生の可能性がほとんどない運転状態である場合に、傾き角が傾き角Ｐ２に勝手に変更されることがなく、ユーザーの意図に沿った風向きで運転を行うことができる。
また、空気調和装置１００では、室内機側制御部７６Ａによって、フラップ６０、６０の傾き角を傾き角Ｐ２に制御することで室内機１２Ａ側で露付きを防止できるため、露付きを防止するために送風ファン３１Ａの回転数を変更する必要がない。これにより、露付き防止運転によって室内熱交換器２９Ａの冷媒の蒸発量が変化しないため、室外機６の圧縮機８の回転数が露付き防止運転に影響されることを防止できる。
【００３７】
以上説明したように、本実施の形態によれば、フラップ６０、６０の傾き角が送風の通風抵抗が大きくなる傾き角Ｐ１に設定され、送風ファン３１Ａの回転数が低回転数に設定され、かつ、冷房運転の継続時間が所定時間Ｔに達したときに、室内機側制御部７６Ａがフラップ６０、６０の傾き角を通風抵抗が小さくなるように下向きの傾き角Ｐ２に変更するため、フラップ６０、６０の傾き角を変更するだけで露付きを防止でき、室外機６の圧縮機８の運転に影響することなく、フラップ６０、６０への露付きを防止できる。また、室内熱交換器２９Ａの温度を測定する温度センサを用いることなく、簡単な構成でフラップ６０、６０への露付きを防止できる。
また、フラップ６０、６０が水平に近い傾き角Ｐ１に設定され、送風ファン３１Ａが最も低の回転数に設定され、かつ、冷房運転の継続時間が所定時間Ｔに達したときに、室内機側制御部７６Ａがフラップ６０、６０を水平から離れる下向きの傾き角Ｐ２に変更し、冷房運転の継続時間に基づいてフラップ６０、６０を下向きの角度に変更する。このため、フラップ６０、６０の傾き角を変更するだけで露付きを防止でき、室外機６の圧縮機８の運転に影響することなく、フラップ６０、６０への露付きを防止できる。さらに、フラップ６０、６０の傾き角を開状態において最も水平に近い傾き角Ｐ１から一段だけ下向きの傾き角Ｐ２に変更するため、フラップ６０、６０の角度が変更されたことが目立つことを防止できる。
【００３８】
また、マルチ型の空気調和装置１００において、室内機側制御部７６Ａによって、フラップ６０、６０の傾き角を傾き角Ｐ２に制御することで室内機１２Ａ側で露付きを防止できるため、露付きを防止するために送風ファン３１Ａの回転数を変更する必要がない。これにより、露付き防止運転によって室内熱交換器２９Ａの冷媒の蒸発量が変化せず、室外機６の圧縮機８の回転数が露付き防止運転に影響されることを防止できるため、室内機１２Ａの露付き防止運転が、室内機１２Ｂ、１２Ｃの運転に影響することを防止できる。
また、フラップ６０、６０が開状態時に最も水平に近い角度となる設定は、フラップ６０、６０の傾き角の設定における開状態の最上段である傾き角Ｐ１であり、傾き角Ｐ１から一段だけ下向きの傾き角Ｐ２にするだけで、フラップ６０、６０の露付きを防止できる。また、一段だけ下向きの傾き角Ｐ２に傾き角を変更するため、露付きを防止しつつ、送風の到達距離を確保できる。
【００３９】
さらに、フラップ６０、６０の傾き角が変更されたことを室内機１２Ａのリモートコントローラ７７Ａに表示するため、傾き角が変更されたことをユーザーが知ることができる。つまり、本実施の形態では、露付き防止運転によってフラップ６０、６０が一段だけ下の傾き角Ｐ２に変更されるため、フラップ６０、６０の傾き角が強制的に変更されたことが目立たないが、ユーザーは、リモートコントローラ７７Ａの表示を確認することで、露付き防止運転によって傾き角Ｐ２に変更されたことを知ることができる。
【００４０】
さらにまた、室内機側制御部７６Ａは、フラップ６０、６０の傾き角の変更の指示、暖房運転或いは送風運転への変更の指示、及び、送風ファン３１Ａの回転数の変更の指示のいずれかの指示がなされるまではフラップ６０、６０を傾き角Ｐ２に維持するため、露付きの可能性が高い運転状態時にフラップ６０、６０への露付きを確実に防止できる。
また、フラップ６０、６０の上下面に設けたディンプル６０Ａによって乱流Ｄの発生を抑制できるため、フラップ６０、６０の露付きを防止できる。
【００４１】
なお、上記実施の形態は本発明を適用した一態様を示すものであって、本発明はこれに限定されない。
上記実施の形態では、フラップ６０、６０の開状態の最上段である傾き角Ｐ１では、フラップ６０、６０を通る気流の通風抵抗が大きくなるものとして説明したが、これに限らず、水平フラップを通る気流の通風抵抗は、吹出口１３の形状や水平フラップの配置位置等によって異なり、必ずしも水平フラップの最上段で大きくなるものではない。すなわち、吹出口１３の形状や水平フラップの配置位置によっては、傾き角Ｐ１で通風抵抗が小さくなり、傾き角Ｐ２の状態で通風抵抗が大きくなって傾き角Ｐ２の状態で水平フラップの露付きが多く発生することが考えられる。この場合、水平フラップを傾き角Ｐ２で冷房運転している状態において、傾き角を一段上方に変更して傾き角Ｐ１とすることで通風抵抗を小さくでき、水平フラップへの露付きを防止することができる。つまり、上記実施の形態では、傾き角Ｐ１で露付きが発生することが考えられたので、その傾き角を一段下向きの傾き角Ｐ２に変更したが、これに限定されるものではなく、要するに、露付きが発生すると考えられるポジションでの運転が所定時間Ｔに達したらそのポジションを変更するということであり、従って、その変更ポジションは、少なくとも一段上向きを含む上向きの角度であっても良い。
【００４２】
また、上記実施の形態では、傾き角を傾き角Ｐ１から一段下向きの傾き角Ｐ２に変更するものとして説明したが、これに限らず、通風抵抗が小さくなる傾き角が、吹出口１３の形状や水平フラップの配置位置等の影響によってさらに下向きである場合には、傾き角を傾き角Ｐ１から２段以上の下向きに変更することで露付きを防止しても良い。
さらに、上記実施形態においては、空気調和装置１００がマルチ型の空気調和装置である例について説明したが、本発明はこれに限定されるものではなく、例えば、一台の室外機に対して一台の室内機が設けられる空気調和装置に本発明を適用しても良い。
【符号の説明】
【００４３】
６  室外機
Ｐ１  傾き角（流れ抵抗が大きくなる角度）
Ｐ２  傾き角（下向きの角度）
１２Ａ、１２Ｂ、１２Ｃ  室内機
１３  吹出口
３１Ａ、３１Ｂ、３１Ｃ  送風ファン
６０、６０  フラップ（水平フラップ）
６０Ａ  ディンプル（凹凸）
７５  室外機側制御部
７６Ａ、７６Ｂ、７６Ｃ  室内機側制御部（制御部）
７７Ａ、７７Ｂ、７７Ｃ  リモートコントローラ
１００  空気調和装置
【図１】
0005611694.tif 000002
【図２】
0005611694.tif 000003
【図３】
0005611694.tif 000004
【図４】
0005611694.tif 000005
【図５】
0005611694.tif 000006
【図６】
0005611694.tif 000007
【図７】
0005611694.tif 000008